(57)【要約】  無線通信システムの無線接続ネットワーク（ＲＡＮ）からポイント‐ツ‐マルチポイント送信信号を受信する移動機が，送信信号を受信するために隣接セルへ変更する際に用いる情報をＲＡＮへ伝送する方法及び装置である。特にこの移動機は，隣接セルのセル再選択パラメータを受信したかどうか，及び／又は前記移動機が隣接セルにおいて送信信号を受信するためのパラメータを示す隣接セル情報も受信したかどうか，をＲＡＮに指示する。典型的実施例においては，移動機は隣接セルにおいて送信信号を受信するためのパラメータを受信したかどうかだけでなく，どのパラメータの組を受信したかを指示する。移動機が隣接セルに変更する際に用いる情報は，パケット接続制御チャネル上をアップリンクされる肯定応答メッセージによってＲＡＮに伝送される。
2008538667.tif 000002
【特許請求の範囲】
【請求項１】
ネットワークからポイント‐ツ‐マルチポイントデータチャネルを受信する移動機が，隣接セルのセル再選択パラメータを前記移動機が受信したかどうかの指示，及び／又は前記移動機が前記隣接セルの前記ポイント‐ツ‐マルチポイントデータチャネルを受信する際に使用する１組のパラメータを示す情報を受信したかどうかの指示，を含むメッセージを形成するステップと，
前記移動機が前記ネットワークへ制御チャネル上で前記メッセージを送信するステップと，
を有する方法。
【請求項２】
前記移動機が，前記隣接セルの前記ポイント‐ツ‐マルチポイントデータチャネルを受信する際に使用する１組のパラメータを示す，前記隣接セルの隣接セル情報を受信したとき，前記移動機はまた，該移動機が受信した前記１組のパラメータの指示子を前記メッセージに含める請求項１に記載の方法。
【請求項３】
前記ポイント‐ツ‐マルチポイントデータのソース送信器からの問い合わせに応答して，前記メッセージを形成して送信する請求項１に記載の方法。
【請求項４】
ネットワークからポイント‐ツ‐マルチポイントデータチャネルを受信する移動機が，隣接セルのセル再選択パラメータを前記移動機が受信したかどうかの指示，及び／又は前記移動機が前記隣接セルの前記ポイント‐ツ‐マルチポイントデータチャネルを受信する際に使用する１組のパラメータを示す情報を受信したかどうかの指示，を含むメッセージを形成するステップと，
前記移動機が前記ネットワークへ制御チャネル上で前記メッセージを送信するステップと，
を有する方法であって，
前記ネットワークは，ＧＳＭ／ＥＤＧＥ無線接続ネットワーク（ＧＥＲＡＮ）とし，かつ前記メッセージを前記移動機から前記ネットワークへパケット関連制御チャネル（ＰＡＣＣＨ）上で送信し，前記隣接セルのセル再選択パラメータを前記移動機が受信したかどうかの指示を前記メッセージのＭＢＭＳ隣接セル報告要素内の指示子ビット（RESEL_PARAMS_ACQUIRED）によって搬送し，前記移動機が前記隣接セルの隣接セル情報を受信したかどうかの指示を，これもまた前記メッセージのＭＢＭＳ隣接セル報告要素内に含まれる２ビット指示子（MBMS_PTM_CHANGE_MARK）によって搬送する方法。
【請求項５】
計算機プロセッサが実行するための計算機プログラムコードを組み込んだ計算機可読記憶構造を備える計算機プログラム製品であって，前記計算機プログラムコードは，請求項１に記載の方法の各ステップを実行する命令を含む計算機プログラム製品。
【請求項６】
請求項１の方法の各ステップを実行する手段を含むデバイス。
【請求項７】
請求項６に記載のデバイスを含む移動機。
【請求項８】
移動機の隣接セルへのセル変更を行う手段を備えるセルラ通信システムのネットワーク要素であって，前記移動機が前記隣接セルのセル再選択パラメータを受信したかどうかの指示，及び／又は前記移動機が前記隣接セルの前記ポイント‐ツ‐マルチポイントデータチャネルを受信する際に使用する１組のパラメータを示す前記隣接セルの隣接セル情報を受信したかどうかの指示，を含む，前記移動機が前記ネットワーク要素に提供するメッセージに基づいて，前記セル変更を実行することを指示するメッセージを前記隣接セルへ供給し，前記移動機に前記隣接セルのセル再選択パラメータ又は前記隣接セルの隣接セル情報のいずれか，若しくはこれら双方，を供給するかどうかを前記隣接セルに指示するネットワーク要素。
【請求項９】
請求項７に記載の移動機と，
前記移動機に無線通信で接続し，前記隣接セルの隣接セル情報，及び／又は前記隣接セルのセル再選択パラメータ，を送信するための送受信器を含む無線接続ネットワークであって，前記移動機が前記ネットワークへ供給するメッセージに応答する，前記送受信器に接続されたネットワーク要素もまた含み，前記移動機が前記ネットワーク要素に提供するメッセージに基づいて，前記セル変更を実行することを指示するメッセージを前記隣接セルへ供給し，前記移動機に前記隣接セルのセル再選択パラメータ，又は前記隣接セルの隣接セル情報のいずれか，若しくはこれら双方，を供給するかどうかを前記隣接セルに指示することによって，前記移動機の前記隣接セルへのセル変更を行う手段を備えた無線接続ネットワークと，
を備えるシステム。
【発明の詳細な説明】
【技術分野】
【０００１】
本発明は，セルラ通信分野に属する。より詳細には，本発明は移動機へのポイント‐ツ‐マルチポイントデータ（例えばＭＢＭＳデータ）の無線送信，及びそのような送信信号に関連する移動機のセル変更に属する。
【背景技術】
【０００２】
ＭＢＭＳ（マルチメディア同報マルチキャストサービス）は片方向のポイント‐ツ‐マルチポイント（ｐ−ｔ−ｍ）ベアラサービスであって，データが単一ソースエンティティから複数の受信者へ送信される。ＭＢＭＳは，例えばビデオ及びオーディオのストリーミングを提供するために用いられる。
【０００３】
ＭＢＭＳの一例は，ＧＳＭ（世界移動体通信システム）／ＥＤＧＥ（ＧＳＭ進化のための強化データレート）無線接続ネットワーク（ＧＥＲＡＮ）のＧＰＲＳ（一般パケット無線サービス）によって提供されるものである。第３世代パートナシッププロジェクトの技術仕様書 3GPP TS 43.064は，ＧＰＲＳ無線インタフェース（Ｕｍ参照点）の概要を含んでいる。3GPP TS 43.051は，いわゆるＩｕモードにおけるＧＥＲＡＮの全体的記述である。
【０００４】
（ＧＳＭのような）いくつかのセルラ通信システムに関して，セルラ通信システムを実現しているネットワークが提供するｐ−ｔ−ｍチャネル上のＭＢＭＳセッションを取得する移動機は，ネットワークが問い合わせをしたとき，（3GPP TS 43.246及び3GPP TS 44.060に記載のとおり）移動機が問い合わせを受けるまでのセッションで受信したデータの状態を示す肯定応答メッセージを返すように構成されている。そのような状態情報は，ネットワークがいくつかの移動機の受信しなかったデータブロックの再送信を起動するために用いられる。
【０００５】
移動機はまた，（少なくともいくつかのネットワークにおいては）強度順に６つまでの非サービス提供キャリアを，単一の肯定応答メッセージによってネットワークへ報告することが期待されている。この非サービス提供キャリア報告は，移動機のセル変更の最も想定されるターゲットとして指示されたセル，又はより可能性が低いターゲットであるセル，のＭＢＭＳ隣接セル情報（ＭＮＣＩ）メッセージ送信に対して優先度を設定するためにネットワークが用いる。これによってあるセルに関する特定のセッションの隣接セルｐ−ｔ−ｍパラメータを，そのセルに変更する前に移動機が受信するチャンスが増加する。ここで上記パラメータはＭＮＣＩに含まれ，そのセルのＭＢＭＳセッションを受信するために必要なものである。このようにして移動機はそのセルにセル変更した後，素早くセッションの取得を続けることができる。
【０００６】
移動機がターゲットセルに接続できるように，移動機はターゲットセルのセル再選択パラメータを知らなければならない。移動機がターゲットセルに同調してパラメータを取得するのではなく，ターゲットセルについてのそのような情報を提供するように，サービス提供セルのネットワークが周知のいわゆるＳＩ２ｎメッセージを予定する。
【０００７】
このようにあるセルにおけるＭＢＭＳセッションを受信し，セッションを継続するために新セルに変更する可能性がある状況にある移動機は，新セルの対応するｐ−ｔ−ｍパラメータ及び新セルのセル再選択パラメータも知る必要がある。移動機は，そのようなｐ−ｔ−ｍパラメータ及びセル再選択パラメータを確実に得るように，ネットワークと協働するのが有利である。
【発明の開示】
【課題を解決するための手段】
【０００８】
したがって本発明は，ネットワークからポイント‐ツ‐マルチポイントデータチャネル（例えばＭＢＭＳチャネル）を受信する移動機が，隣接セルのセル再選択パラメータを前記移動機が受信したかどうかの指示，及び／又は前記移動機が前記隣接セルの前記ポイント‐ツ‐マルチポイントデータチャネルを受信する際に使用する１組のパラメータを示す隣接セルの隣接セル情報（例えばＭＮＣＩ）を受信したかどうかの指示，含むメッセージを形成するステップと，前記移動機が前記ネットワークへ制御チャネル（例えばＰＡＣＣＨ（パケット関連制御チャネル））上で前記メッセージを送信するステップと，を有する方法（並びに対応する装置と，計算機プログラム製品と，特定用途集積回路と）を提供する。
【０００９】
本発明によれば，移動機が隣接セルのポイント‐ツ‐マルチポイントデータチャネルを受信する際に使用する１組のパラメータを示す隣接セルの隣接セル情報を受信したとき，前記移動機はまた，可能性のある種々のパラメータの組のうちどれを前記移動機が受信したかを示す指示子をメッセージに含めてもよい。
【００１０】
更に本発明によれば，前記メッセージを，ポイント‐ツ‐マルチポイントデータのソース送信器からの問い合わせに応答して形成し，送信してもよい。
【００１１】
本発明はまた，本発明の第１態様による方法を実行するハードウェア及びソフトウェアを含む移動機と，本発明によって移動機から受信した情報を考慮に入れて移動機のセル変更操作を行うネットワーク要素と，を提供する。
【発明を実施するための最良の形態】
【００１２】
本発明は，ＧＥＲＡＮからのポイント‐ツ‐マルチポイント送信に関連してＧＥＲＡＮとインタフェースする移動機に適用するものである。（そのようなインタフェースは，第３世代パートナシッププロジェクト技術仕様書 3GPP TS 43.246及び3GPP TS 44.060に含まれている。）本発明はまた，ほかの種類の無線接続ネットワークに適用されるものである。
【００１３】
本発明によれば，（特定の）新（隣接）セルにセル変更が行われたとき，移動機は，ＭＢＭＳセッションの受信を継続するために必要な情報のいくらか，又はすべてを移動機が既に受信したかどうかをネットワークに示すメッセージを，前記移動機にポイント‐ツ‐マルチポイント（ｐ−ｔ−ｍ）送信信号（すなわちポイント‐ツ‐マルチポイントデータチャネル）によって，ＭＢＭＳセッションを提供するネットワークに送信する。したがって本発明によれば，移動機はネットワークに，隣接セルのセル再選択パラメータ及び／又は隣接セルのセッションのｐ−ｔ−ｍパラメータを移動機が既に受信したかどうかを通知する（隣接セルの識別情報もまた，このメッセージで指示される）。より詳細に言えば，移動機がネットワークに送信するメッセージは，移動機が隣接セルのセル再選択パラメータを受信したかどうかの指示（すなわち，移動機が規定された１又は複数のセル再選択アルゴリズムによって評価し，かつ恐らく再選択する必要がある，隣接セルに属する情報），及び／又は移動機が隣接セルのｐ−ｔ−ｍパラメータについての情報（通常隣接セルのＭＮＣＩに含まれる），すなわちセル再選択の直後に隣接セルにおいてＭＢＭＳセッションを受信する際に移動機が用いる１組のパラメータを示す情報，を受信したかどうかの指示，を含む。
【００１４】
いくつかの実施例において移動機はまた，移動機が最も最近受信した隣接セルのｐ−ｔ−ｍパラメータの組（次に述べるように時間と共に比較的頻繁に変化する）の指示子もメッセージに含める。ｐ−ｔ−ｍパラメータ自体は示す必要はないが，代わりにある種のインデクス又は版番号（「変更マーク」とも呼ばれる）だけを示す。
【００１５】
さらにいくつかの実施例においては（必須ではないが），メッセージは，ポイント‐ツ‐マルチポイントデータのソース送信器，すなわちネットワークの送受信器からの問い合わせに応答して形成され，送信される。このような実施例においては，本発明によるメッセージは肯定応答メッセージであり，適切な指定はＭＢＭＳダウンリンク肯定応答／否定応答（MBMS DOWNLINK ACK/NACK）メッセージである。
【００１６】
セル再選択パラメータ（通常ネットワークがＳＩ２ｎメッセージによって提供する）は（比較的）静的であり，移動機が隣接セルのそのようなパラメータを受信したかどうかの指示は次に示すように，単一ビットによって供給するのが有利である。
【表１】
2008538667.tif 000003
【００１７】
セル再選択パラメータと異なり，セルのｐ−ｔ−ｍパラメータ又は情報（ＭＮＣＩの一部として供給される）は，動的情報である。ネットワークは，別のセッションのｐ−ｔ−ｍチャネルを再構成してもよい。移動機は，本発明によれば，セッションの任意のｐ−ｔ−ｍパラメータを受信したかどうか，そしてどのｐ−ｔ−ｍパラメータを受信したかを示すのが有利であり，それによってこの情報が古くないかどうかをネットワークが識別できることを保証する。ネットワークがこの指示手段によって，移動機が古くなった情報だけを受信したことを検出したときは，サービス提供セルにおける指定された隣接セルに属する，更新されたｐ−ｔ−ｍ情報を送信する必要があるかもしれない。移動機がどのｐ−ｔ−ｍパラメータを受信したかを示すために，本発明は１又は複数のビットからなる変更マーク指示を提供する。そのような変更マークは，ネットワークが送信した特定のパラメータの組の識別子として機能する。
【００１８】
例えば本発明によれば，ネットワークはＭＮＣＩメッセージによって，特定のセッションの特定のｐ−ｔ−ｍパラメータの変更マーク（MBMS_P-T-M_CHANGE_MARK）を次のとおり提供する。
【表２】
2008538667.tif 000004
移動機がＭＮＣＩメッセージを受信すると，移動機がその特定のセッションを取得しているときは，そのセッションの指示されたMBMS_P-T-M_CHANGE_MARKの値を記憶する（通常は，新規MBMS_P-T-M_CHANGE_MARKを含むＭＮＣＩを受信するか，移動機がセルを変更するか，のいずれかが最初に起こるまで記憶する）。次に移動機は，報告された隣接セルが利用可能なとき，そのセッションの記憶したMBMS_P-T-M_CHANGE_MARKを次のようにメッセージに供給する。
【表３】
2008538667.tif 000005
すなわち，ｐ−ｔ−ｍパラメータを受信していないときは，移動機は値０を有する単一ビットを送信する。しかしｐ−ｔ−ｍパラメータを受信しているときは，値１の第１ビットが供給され，受信されたｐ−ｔ−ｍパラメータの組を識別する２ビット指示子がメッセージに含まれる。（２ビット指示子は，ｐ−ｔ−ｍパラメータの特定の組とは異なり，移動機が受信したＭＮＣＩの最新コピーを単に参照してもよい。）
【００１９】
ネットワークは，移動機からメッセージを受信すると，特定の報告された隣接セルについて，移動機が報告した変更マークとネットワークが送信した最新の変更マークとの間の矛盾をそのセッションに関して検出することができる。移動機が変更マークを報告しないときは，ネットワークは必要なパラメータを含むＭＮＣＩメッセージを送信するように判断してもよい。この指示はまた，特定セルにおける特定セッションのデータ転送を（既に開始されていないときは）開始するきっかけとして用いてもよい。
【００２０】
問い合わせに応答して変更マークが供給される実施例の場合，変更マークはMBMS DOWNLINK ACK/NACKメッセージと呼ばれる付加情報として供給してもよい。そのようなメッセージは，次に示すように「隣接セル報告構造体（NC Report struct）」と示されたセクション内に変更マーク指示を含んでもよい。
【表４】
2008538667.tif 000006
【００２１】
上記の可能な符号化において，変更マーク指示及び再選択パラメータ可用性に関するもの以外のフィールドは，3GPP TS 44.060に規定されており，既にあちらこちらの先行技術メッセージにおいて用いられている。そのような先行技術フィールドは，２以上の先行技術メッセージから集められて，上記メッセージに含められる。なぜならば，それらがＭＢＭＳセッションを受信する際のフィードバックとして特に有用なためである。このように上記メッセージそれ自身は，本発明が提供する新フィールドさえも除外している先行技術には存在しない。上記符号化において，隣接セル報告（隣接セルの信号強度）は，肯定応答情報の前に提供される。
【００２２】
このメッセージは，アップリンク，すなわち移動機から（ＭＢＭＳセッションを提供している）ネットワークへ，のＰＡＣＣＨのような制御チャネル上で送信されるポイント‐ツ‐ポイントメッセージであり，一般に受信データの肯定応答及びそのほかの関連する情報のような，特定のＧＰＲＳ移動機に関連する情報を通知するために用いられる。最終肯定応答指示（FINAL_ACK_INDICATION）は，ＭＢＭＳにおいては必要でないかもしれないことに留意されたい。
【００２３】
ここで図１及び２を参照すると，本発明の一実施例によれば，移動機１１は，セルラ通信を提供しているネットワークのサービス提供セルＡの送受信器（ＴＲＸ）１２ａからＭＢＭＳセッションを受信している間，ある時点で第２のＴＲＸ１２ｂがサービス提供しているセルＢと示された隣接セルへ変更するための情報を示すセル再選択パラメータも（ＳＩ２ｎメッセージによって）受信する。更に移動機は，ＭＮＣＩメッセージの一部として，セルＢのＭＢＭＳパラメータの第１の組Ａ，及び次に第２の組Ｂも受信する。次にネットワークコントローラ１４は，移動機に問い合わせを行い，それに応答して移動機はステップ２１において，移動機がセルＢのセル再選択パラメータ（perms）を受信したことの指示，及び／又はセルＢのＭＢＭＳパラメータの組Ｂ（セルＢを介してＭＢＭＳ  ｐ−ｔ−ｍ送信信号を受信するための組Ｂの情報）を受信したことの指示を（この実施例においてであって，すべての実施例においては必ずしも必要ではないが）含むMBMS DOWNLINK ACK/NACKメッセージ（すなわち，MBMS DOWNLINKメッセージへの肯定応答であって，アップリンクで送信される）を形成する。次のステップ２２において，移動機はＰＡＣＣＨ上でメッセージを（セルＡを介して）ネットワークへ送信する。次にネットワークは，移動機がセルＢに変更するのに協働して，この情報を用いることができる。その後，移動機はＭＢＭＳセッションの受信を続けることができる。（もちろん移動機は自律的にセル変更を行ってもよい。その場合，上記メッセージとして移動機が提供するフィードバックが，移動機が変更したどのセルにおいてもＭＢＭＳセッションの受信を継続するために必要な情報を移動機が受信するチャンスを増やす可能性がある。それはネットワークが，そのフィードバックから，移動機が変更する可能性のある任意のセルの追加パラメータを送信するかどうかを判定するからである。）
【００２４】
上述のように，セル再選択パラメータ及び／又は隣接セルを介してｐ−ｔ−ｍ送信信号を受信するための情報を示すメッセージを送信するステップ２２は，必ずしも常に，又は問い合わせに応答するときだけ提供される訳ではなく，ｐ−ｔ−ｍ送信信号について新規情報を受信したときのような，あれこれのイベントによって起動されたとき，又は定期報告時刻が来たとき，にも提供されるか，若しくは代わりに提供される。更にこのメッセージは必ずしも最新版の隣接セルのｐ−ｔ−ｍパラメータ（すなわち，隣接セルにおいてどうやってＭＢＭＳ送信信号を受信するかについて，移動機が受信した情報の最新版）を示す訳ではない。
【００２５】
本発明はまた，例えば図２に示した本発明によって動作する移動機及びネットワーク装置と同様，移動機が用いる計算機プログラム製品及び対応する特定用途集積回路（ＡＳＩＣ），並びにネットワーク（例えばセルラ通信システムを提供するネットワークの無線接続ネットワーク部の送受信器又はコントローラ）が使用する計算機プログラム製品も提供する（ただし，上述のとおり図２に示す移動機が送信するメッセージは，問い合わせに応答して送信する必要はなく，移動機が受信した最新版のｐ−ｔ−ｍパラメータの指示子を含む必要もない。）このように例えば本発明は，セル再選択パラメータ及びｐ−ｔ−ｍパラメータ（又は同じものを含むＭＮＣＩ）を受信したかどうかを示す（及び，おそらくどのｐ−ｔ−ｍパラメータセット，又はＭＮＣＩを受信したかを示す）メッセージを送信する移動機だけでなく，そのようなメッセージを受信し，特にセル再選択パラメータ及び／又はセルのｐ−ｔ−ｍパラメータを移動機に送信する（若しくはいくつかの移動機に送信，又は単に同報する）かどうかを決定するために）処理するネットワーク装置を提供する。
【００２６】
本発明はまた，上述の方法を実行するハードウェア及びソフトウェアを含む移動機，並びに移動機が前記隣接セルのセル再選択パラメータを受信したかどうかの指示，及び／又は移動機が隣接セルのポイント‐ツ‐マルチポイントデータチャネルを受信する際に使用する１組のパラメータを示す隣接セルの隣接セル情報を受信したかどうかの指示，を含む移動機がネットワーク要素に提供するメッセージに基づいて，セル変更を実行することを指示するメッセージを隣接セルへ供給し，移動機に隣接セルのセル再選択パラメータ，又は隣接セルの隣接セル情報のいずれか，若しくはこれら双方，を供給するかどうかを前記隣接セルに指示することによって移動機のセル変更を行うためのハードウェア及びソフトウェアを含むセルラ通信システムのネットワーク要素も提供する。
【００２７】
上述の構成は，本願発明の原理の応用を例示するものに過ぎないことを理解されたい。本技術の当業者であれば，本願発明の範囲を逸脱することなく多くの修正物及び代替物を考案することができ，添付の請求項はそのような修正物及び代替物を含むように意図されている。
【図面の簡単な説明】
【００２８】
【図１】本発明による移動機とセルラ通信システムのネットワークとの間の通信であって，移動機がネットワークのセルにおいてＭＢＭＳセッションを受信する場合を示す概略図である。
【図２】本発明による移動機の動作を示すフローチャートである。
【図１】
2008538667.tif 000007
【図２】
2008538667.tif 000008
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
移動機がネットワークからポイント‐ツ‐マルチポイントデータチャネルを受信し，隣接セルのセル再選択パラメータを前記移動機が受信したかどうかの指示，及び／又は前記移動機が前記隣接セルの前記ポイント‐ツ‐マルチポイントデータチャネルを受信する際に使用する１組のパラメータを示す情報を受信したかどうかの指示，を含むメッセージを形成し，
前記移動機が前記ネットワークへ制御チャネル上で前記メッセージを送信する，
方法。
【請求項２】
前記移動機が，前記隣接セルの前記ポイント‐ツ‐マルチポイントデータチャネルを受信する際に使用する１組のパラメータを示す，前記隣接セルの隣接セル情報を受信したとき，前記移動機はまた，該移動機が受信した前記１組のパラメータの指示子を前記メッセージに含める請求項１に記載の方法。
【請求項３】
前記ポイント‐ツ‐マルチポイントデータのソース送信器からの問い合わせに応答して，前記メッセージを形成して送信する請求項１に記載の方法。
【請求項４】
移動機がＧＳＭ／ＥＤＧＥ無線接続ネットワーク（ＧＥＲＡＮ）からポイント‐ツ‐マルチポイントデータチャネルを受信し，メッセージのマルチメディア同報マルチキャストサービス（ＭＢＭＳ）隣接セル報告要素内の指示子ビット（RESEL_PARAMS_ACQUIRED）で搬送される隣接セルのセル再選択パラメータを前記移動機が受信したかどうかの指示，及び／又は前記移動機が前記メッセージのＭＢＭＳ隣接セル報告要素内に更に含まれる２ビット指示子（MBMS_PTM_CHANGE_MARK）によって搬送される前記隣接セルの前記ポイント‐ツ‐マルチポイントデータチャネルを受信する際に使用する１組のパラメータを示す情報を受信したかどうかの指示，を含む前記メッセージを形成し，
前記移動機が前記ネットワークへパケット関連制御チャネル（ＰＡＣＣＨ）上で前記メッセージを送信する，
方法。
【請求項５】
計算機プロセッサが実行するための計算機プログラムコードを組み込んだ計算機可読記憶構造を備える計算機プログラム製品であって，前記計算機プログラムコードは，請求項１に記載の方法を実行する命令を含む計算機プログラム製品。
【請求項６】
請求項１の方法を実行する手段を含むデバイス。
【請求項７】
請求項６に記載のデバイスを含む移動機。
【請求項８】
移動機の隣接セルへのセル変更を行う手段を備えるセルラ通信システムのネットワーク要素であって，前記移動機が前記隣接セルのセル再選択パラメータを受信したかどうかの指示，及び／又は前記移動機が前記隣接セルの前記ポイント‐ツ‐マルチポイントデータチャネルを受信する際に使用する１組のパラメータを示す前記隣接セルの隣接セル情報を受信したかどうかの指示，を含む，前記移動機が前記ネットワーク要素に提供するメッセージに基づいて，前記セル変更を実行することを指示するメッセージを前記隣接セルへ供給し，前記移動機に前記隣接セルのセル再選択パラメータ又は前記隣接セルの隣接セル情報のいずれか，若しくはこれら双方，を供給するかどうかを前記隣接セルに指示するネットワーク要素。
【請求項９】
請求項７に記載の移動機と，
前記移動機に無線通信で接続し，前記隣接セルの隣接セル情報，及び／又は前記隣接セルのセル再選択パラメータ，を送信するための送受信器を含む無線接続ネットワークであって，前記移動機が前記ネットワークへ供給するメッセージに応答する，前記送受信器に接続されたネットワーク要素もまた含み，前記移動機が前記ネットワーク要素に提供するメッセージに基づいて，前記セル変更を実行することを指示するメッセージを前記隣接セルへ供給し，前記移動機に前記隣接セルのセル再選択パラメータ，又は前記隣接セルの隣接セル情報のいずれか，若しくはこれら双方，を供給するかどうかを前記隣接セルに指示することによって，前記移動機の前記隣接セルへのセル変更を行う手段を備えた無線接続ネットワークと，
を備えるシステム。
【請求項１０】
装置であって，
ネットワークからのポイント‐ツ‐マルチポイントデータチャネルに応答して，隣接セルのセル再選択パラメータを前記装置を含む移動機が受信したかどうかの指示，及び／又は前記移動機が前記隣接セルの前記ポイント‐ツ‐マルチポイントデータチャネルを受信する際に使用する１組のパラメータを示す情報を受信したかどうかの指示，を含むメッセージを形成する手段と，
前記メッセージを前記ネットワークへ制御チャネル上で送信するために適した形態で供給する手段と，
を備える装置。
【請求項１１】
装置であって，
ネットワークからのポイント‐ツ‐マルチポイントデータチャネルに応答して，隣接セルのセル再選択パラメータを前記装置を含む移動機が受信したかどうかの指示，及び／又は前記移動機が前記隣接セルの前記ポイント‐ツ‐マルチポイントデータチャネルを受信する際に使用する１組のパラメータを示す情報を受信したかどうかの指示，を含むメッセージを形成するハードウェアモジュール又はソフトウェアモジュールと，
前記メッセージを前記ネットワークへ制御チャネル上で送信するために適した形態で供給する更なるハードウェアモジュール又はソフトウェアモジュールと，
を備える装置。
【請求項１２】
前記装置はまた，前記移動機が前記隣接セルの前記ポイント‐ツ‐マルチポイントデータチャネルを受信する際に使用する１組のパラメータを示す前記隣接セルの隣接セル情報を受信したとき，前記移動機が受信した前記１組のパラメータの指示子を前記メッセージに含めるように構成する請求項１１に記載の装置。
【請求項１３】
前記装置は，前記ポイント‐ツ‐マルチポイントデータのソース送信器からの問い合わせに応答して前記メッセージを形成するように構成する請求項１に記載の方法。
【請求項１４】
移動機の隣接セルへのセル変更を行うハードウェアモジュール又はソフトウェアモジュールを備えるセルラ通信システムのネットワーク要素であって，前記移動機が前記隣接セルのセル再選択パラメータを受信したかどうかの指示，及び／又は前記移動機が前記隣接セルの前記ポイント‐ツ‐マルチポイントデータチャネルを受信する際に使用する１組のパラメータを示す前記隣接セルの隣接セル情報を受信したかどうかの指示，を含む，前記移動機が前記ネットワーク要素に提供するメッセージに基づいて，前記セル変更を実行することを指示するメッセージを前記隣接セルへ供給し，前記移動機に前記隣接セルのセル再選択パラメータ又は前記隣接セルの隣接セル情報のいずれか，若しくはこれら双方，を供給するかどうかを前記隣接セルに指示するネットワーク要素。
【国際調査報告】
2008538667.tif 000009
2008538667.tif 000010
2008538667.tif 000011
2008538667.tif 000012
2008538667.tif 000013
2008538667.tif 000014
2008538667.tif 000015
2008538667.tif 000016